(57)【要約】【課題】ユーザーに簡便なコンテンツ選択・操作手段を提供でき、店頭販売者にも販売協力を得られる仕組みを可能にする新たなコンテンツ配信システムを提供する。【解決手段】コンテンツ配信システム１００は、ビューワ管理装置１、情報処理装置２、携帯情報機器３及びコンテンツ管理装置４と、デジタルコンテンツを特定する情報及び当該デジタルコンテンツの利用契約条件を含む商品関連情報Ｍを記録する商品情報記録媒体６とを備え、携帯情報機器３は、情報処理装置２が出力するビューワ識別情報Ｌと、商品情報記録媒体６が記録する商品関連情報Ｍを採取して、ビューワ管理装置１に送信し、ビューワ管理装置１は、受信した商品関連情報Ｍで特定されるデジタルコンテンツをコンテンツ管理装置４から抽出し、ビューワ識別情報Ｌで特定される情報処理装置２に対して、当該デジタルコンテンツ及び利用契約条件を配信する。【選択図】図１
2009003857.tif 000002
【特許請求の範囲】
【請求項１】
それぞれ通信ネットワークに接続される、ビューワ管理装置、情報処理装置及び携帯情報機器及びコンテンツ管理装置を有するコンテンツ配信鑑賞メインシステムと；
提供対象のデジタルコンテンツを特定する情報及び当該デジタルコンテンツの鑑賞に係る利用契約条件を含む商品関連情報を記録する商品情報記録媒体とを備え；
前記商品関連情報で特定されるデジタルコンテンツを前記通信ネットワークを介してユーザーの前記情報処理装置に配信し、鑑賞を可能にするコンテンツ配信システムであって；
前記コンテンツ管理装置は、当該コンテンツ配信システムが配信可能なデジタルコンテンツを蓄積し；
前記情報処理装置は、自己のビューワ識別情報を出力する機能と、前記ビューワ管理装置から配信されたデジタルコンテンツを、前記ビューワ管理装置から配信された当該デジタルコンテンツの鑑賞に係る利用契約条件に基づいて出力する機能を有し；
前記携帯情報機器は、前記情報処理装置が出力するビューワ識別情報と、前記商品情報記録媒体が記録する商品関連情報を採取して、前記ビューワ管理装置に送信し、前記商品関連情報で特定されるデジタルコンテンツを前記ビューワ識別情報で特定される情報処理装置に配信するよう要求する機能を有し；
前記ビューワ管理装置は、前記携帯情報機器から受信した商品関連情報で特定されるデジタルコンテンツを前記コンテンツ管理装置から抽出し、当該デジタルコンテンツの鑑賞に係る利用契約条件を前記商品関連情報から抽出し、前記携帯情報機器から受信したビューワ識別情報で特定される情報処理装置に対して、当該デジタルコンテンツ及び前記利用契約条件を配信する機能を有する；
コンテンツ配信システム。
【請求項２】
前記コンテンツ配信システムは、ビューワ制御プログラム及びビューワ連携プログラムを記録したビューワ情報記録媒体を備え；
前記ビューワ管理装置は、前記情報処理装置に、自己のビューワ識別情報を出力するよう機能させ、前記ビューワ管理装置から配信されたデジタルコンテンツを、前記ビューワ管理装置から配信された当該デジタルコンテンツの鑑賞に係る利用契約条件に基づいて出力するよう機能させるビューワ制御プログラムを、前記ビューワ情報記録媒体から取得して前記情報処理装置に配信し、
前記携帯情報機器に、前記情報処理装置が出力するビューワ識別情報と、前記商品情報記録媒体が記録する商品関連情報を採取して、前記ビューワ管理装置に送信し、前記商品関連情報で特定されるデジタルコンテンツを前記ビューワ識別情報で特定される情報処理装置に配信するよう要求するように機能させるビューワ連携プログラムを、前記ビューワ情報記録媒体から取得して前記携帯情報機器に配信する；
請求項１に記載のコンテンツ配信システム。
【請求項３】
前記コンテンツ配信システムは、ビューワ制御プログラム及びビューワ連携プログラムを記録したビューワ情報記録媒体を備え；
前記情報処理装置は、自己のビューワ識別情報を出力するよう機能させ、前記ビューワ管理装置から配信されたデジタルコンテンツを、前記ビューワ管理装置から配信された当該デジタルコンテンツの鑑賞に係る利用契約条件に基づいて出力するよう機能させるビューワ制御プログラムを前記ビューワ情報記録媒体から取得し；
前記携帯情報機器は、前記情報処理装置が出力するビューワ識別情報と、前記商品情報記録媒体が記録する商品関連情報を採取して、前記ビューワ管理装置に送信し、前記商品関連情報で特定されるデジタルコンテンツを前記ビューワ識別情報で特定される情報処理装置に配信するよう要求するように機能させるビューワ連携プログラムを前記ビューワ情報記録媒体から取得する；
請求項１に記載のコンテンツ配信システム。
【請求項４】
前記商品関連情報及び前記ビューワ識別情報は２次元バーコードで表現され、前記携帯情報機器は前記ビューワ識別情報及び前記商品関連情報を光学読取機器により採取し、前記携帯情報機器が前記ビューワ識別情報及び前記商品関連情報を解読する；
請求項１ないし請求項３のいずれか１項に記載のコンテンツ配信システム。
【請求項５】
通信ネットワークで、情報処理装置、携帯情報機器及びコンテンツ管理装置と接続可能であり；
前記携帯情報機器から受信した商品関連情報で特定されるデジタルコンテンツを前記コンテンツ管理装置から抽出し、当該デジタルコンテンツの鑑賞に係る利用契約条件を前記商品関連情報から抽出し、前記携帯情報機器から受信したビューワ識別情報で特定される情報処理装置に対して、当該デジタルコンテンツ及び前記利用契約条件を配信する機能を有する；
ビューワ管理装置。
【請求項６】
通信ネットワークで、ビューワ管理装置、携帯情報機器及びコンテンツ管理装置と接続可能であり；
自己のビューワ識別情報を出力する機能と、前記ビューワ管理装置から配信されたデジタルコンテンツを、前記ビューワ管理装置から配信された当該デジタルコンテンツの鑑賞に係る利用契約条件に基づいて出力する機能を有する；
情報処理装置。
【請求項７】
通信ネットワークで、ビューワ管理装置、情報処理装置及びコンテンツ管理装置と接続可能であり；
前記情報処理装置が出力するビューワ識別情報と、前記商品情報記録媒体が記録する商品関連情報を採取して、前記ビューワ管理装置に送信し、前記商品関連情報で特定されるデジタルコンテンツを前記ビューワ識別情報で特定される情報処理装置に配信するよう要求する機能を有する；
携帯情報機器。
【請求項８】
提供対象のデジタルコンテンツを特定する情報及び当該デジタルコンテンツの鑑賞に係る利用契約条件を含む２次元バーコードで表現された商品関連情報を記録する；
商品情報記録媒体。
【請求項９】
情報処理装置に、自己のビューワ識別情報を出力する機能と、ビューワ管理装置から配信されたデジタルコンテンツを、前記ビューワ管理装置から配信された当該デジタルコンテンツの鑑賞に係る利用契約条件に基づいて出力するように機能させる：
ビューワ制御プログラム。
【請求項１０】
携帯情報機器に、前記情報処理装置が出力するビューワ識別情報と、商品情報記録媒体が記録する商品関連情報を採取して、ビューワ管理装置に送信し、前記商品関連情報で特定されるデジタルコンテンツを前記ビューワ識別情報で特定される情報処理装置に配信するよう要求するように機能させる；
ビューワ連携プログラム。
【発明の詳細な説明】
【技術分野】
【０００１】
本発明はコンテンツ配信システムに関する。詳しくは、特定のデジタルコンテンツを通信ネットワークを介してユーザーの情報処理装置に配信し、鑑賞を可能にするコンテンツ配信システムに関する。
【背景技術】
【０００２】
現在は、インターネットが広く普及し、音楽コンテンツ、映像コンテンツ、電子書籍コンテンツなどのデジタルコンテンツが通信ネットワークを通してオンライン販売・配信されている。
【０００３】
これらのサービスでは、デジタルコンテンツを販売・配信するウェブサイトのコンテンツ配信サーバーにコンテンツを登録し、ウェブブラウザー上で商品検索・選択機能を提供し、利用者に所望のコンテンツを選択させ、買い物籠などに登録させ、クレジットカードやプリペイドカードなどウェブ決済機能を提供し、ユーザーと購入契約を結び、コンテンツの販売・配信を実施しているのが一般的なデジタルコンテンツ配信システムとなっている。（特許文献１参照）
【０００４】
【特許文献１】特開平１１−１６１７１７号公報
【発明の開示】
【発明が解決しようとする課題】
【０００５】
しかしながら、現状のコンテンツ配信サービスでは、ネットワークを使い慣れたユーザーには一般的な方法ではあるが、パーソナルコンピュータやインターネットに不慣れなユーザーにとっては、自分が求めるウェブサイトにアクセスし、ウェブブラウザーを使いこなして、自分が所望するコンテンツを選定するまでにはかなりのエネルギーを消費し、また、決済にクレジットカードを利用する場合は、クレジットカード番号漏洩の不安が払拭できないこと、プリペイドカードにしても事前の購入などで、必ずしも誰にも気軽に利用できる状況になっていないという問題があった。
【０００６】
また、オンライン販売の場合では、それまで書店、量販店、コンビニエンスストアなどの店頭販売者を介して販売されていたものが、店頭販売を必要としないため、流通形式が変化し、店頭販売者にとっては、恩恵を受けられなくなるという問題も生じていた。
【０００７】
他方、コンテンツの利用者の多くは、趣味、娯楽、教養、学習などの利用目的、音楽、映像・書籍・コミックなどのコンテンツの種別、自分の好みのジャンルなどもあらかじめ決まっている場合が多いが、ウェブブラウザーの利用者よりもむしろ、書店などの店頭でコンテンツを求める者が多いのが現状である。
【０００８】
本発明では、基本的には、従来から一般的に利用されているウェブブラウザーの機能を利用しながらも、ユーザーにウェブブラウザーへの直接アクセスを伴わせることをせず、さらに、コンテンツ種別、コンテンツジャンル、出版社、著者などに関連してアクセス動機を持っているユーザーへの対応性を配慮した、また、店頭販売者や出版社を含む多くの関係者にとっても、より魅力のあるコンテンツ配信サービスを実現すること目指すものであり、従来のクレジットカードやプリペイドカードなどのオンライン決済方式に加えて、新たな販売・配信方法のコンテンツ配信システムを提供するものである。
【０００９】
本発明は、パーソナルコンピュータやインターネットに不慣れなユーザーにも簡便なコンテンツ選択・操作手段を提供でき、かつ、店頭販売者にも販売協力を得られる仕組みを可能にする、新たな販売・配信方法のコンテンツ配信システムを提供することを目的とする。
【課題を解決するための手段】
【００１０】
上記課題を解決するために、本発明の第１の態様であるコンテンツ配信システム１００は、例えば図１に示すように、それぞれ通信ネットワーク７に接続される、ビューワ管理装置１、情報処理装置２、携帯情報機器３及びコンテンツ管理装置４を有するコンテンツ配信鑑賞メインシステム８と、提供対象のデジタルコンテンツを特定する情報及び当該デジタルコンテンツの鑑賞に係る利用契約条件を含む商品関連情報Ｍを記録する商品情報記録媒体６とを備え、商品関連情報Ｍで特定されるデジタルコンテンツを通信ネットワーク７を介してユーザーの情報処理装置２に配信し、鑑賞を可能にするコンテンツ配信システムであって、コンテンツ管理装置４は、当該コンテンツ配信システム１００が配信可能なデジタルコンテンツを蓄積し、情報処理装置２は、自己のビューワ識別情報Ｌを出力する機能と、ビューワ管理装置１から配信されたデジタルコンテンツを、ビューワ管理装置１から配信された当該デジタルコンテンツの鑑賞に係る利用契約条件に基づいて出力する機能を有し、携帯情報機器３は、情報処理装置２が出力するビューワ識別情報Ｌと、商品情報記録媒体６が記録する商品関連情報Ｍを採取して、ビューワ管理装置１に送信し、商品関連情報Ｍで特定されるデジタルコンテンツをビューワ識別情報Ｌで特定される情報処理装置２に配信するよう要求する機能を有し、ビューワ管理装置１は、携帯情報機器３から受信した商品関連情報Ｍで特定されるデジタルコンテンツをコンテンツ管理装置４から抽出し、当該デジタルコンテンツの鑑賞に係る利用契約条件を商品関連情報Ｍから抽出し、携帯情報機器３から受信したビューワ識別情報Ｌで特定される情報処理装置２に対して、当該デジタルコンテンツ及び利用契約条件を配信する機能を有する。
【００１１】
ここにおいて、提供対象のデジタルコンテンツは書籍コンテンツ、音楽コンテンツ、映像コンテンツを含むが、これに限られず、例えば宣伝・広告用のコンテンツ等も含むものとする。通信ネットワーク７はインターネット、移動通信網、電話網を含む公共通信網、及び社内通信回線、装置間通信回線をいう。また、商品情報記録媒体６は商品関連情報Ｍを記録するものであるが、典型的には商品関連情報Ｍを２次元バーコードに記録、表現し、これを商品情報記録媒体６としてのコンテンツ代替カードに貼付又は印刷して用いられる。商品関連情報Ｍは２次元バーコードの他に、１次元バーコード、メモリー等に記録されるが、デジタルコンテンツを特定する情報及び当該デジタルコンテンツの鑑賞に係る利用契約条件を含む情報を含めば良く、デジタルコンテンツ自体を記録する必要はない。商品情報記録媒体６としては、コンテンツ代替カードの他に、ＲＦＩＤ（Ｒａｄｉｏ  Ｆｒｅｑｕｅｎｃｙ  Ｉｄｅｎｔｉｆｉｃａｔｉｏｎ）、メモリーカード、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）等の記録媒体を使用でき、商品関連情報Ｍを表面に貼付け或いは内部に埋込み等により搭載しても良く、記録媒体のメモリーに記録しても良い。また、情報処理装置３の出力は、典型的にはディスプレイ画面への表示によるが、プリンタへの印刷による場合も含まれる。
【００１２】
このように構成すると、パーソナルコンピュータやインターネットに不慣れなユーザーにも簡便なコンテンツ選択・操作手段を提供でき、かつ、店頭販売者にも販売協力を得られる仕組みを可能にする、新たな販売・配信方法のコンテンツ配信システムを提供できる。
【００１３】
また、本発明の第２の態様は、第１の態様のコンテンツ配信システム１００において、例えば図１に示すように、ビューワ制御プログラムＡ及びビューワ連携プログラムＢを記録したビューワ情報記録媒体５を備え、ビューワ管理装置１は、情報処理装置２に、自己のビューワ識別情報Ｌを出力するよう機能させ、ビューワ管理装置１から配信されたデジタルコンテンツを、ビューワ管理装置１から配信された当該デジタルコンテンツの鑑賞に係る利用契約条件に基づいて出力するよう機能させるビューワ制御プログラムＡを、ビューワ情報記録媒体５から取得して情報処理装置２に配信し、携帯情報機器３に、情報処理装置２が出力するビューワ識別情報Ｌと、商品情報記録媒体６が記録する商品関連情報Ｍを採取して、ビューワ管理装置１に送信し、商品関連情報Ｍで特定されるデジタルコンテンツをビューワ識別情報Ｌで特定される情報処理装置２に配信するよう要求するように機能させるビューワ連携プログラムＢを、ビューワ情報記録媒体５から取得して携帯情報機器３に配信する。
【００１４】
また、本発明の第３の態様は、第１の態様のコンテンツ配信システム１００において、ビューワ制御プログラムＡ及びビューワ連携プログラムＢを記録したビューワ情報記録媒体５を備え、情報処理装置２は、自己のビューワ識別情報Ｌを出力するよう機能させ、ビューワ管理装置１から配信されたデジタルコンテンツを、ビューワ管理装置１から配信された当該デジタルコンテンツの鑑賞に係る利用契約条件に基づいて出力するよう機能させるビューワ制御プログラムＡをビューワ情報記録媒体５から取得し、携帯情報機器３は、情報処理装置２が出力するビューワ識別情報Ｌと、商品情報記録媒体６が記録する商品関連情報Ｍを採取して、ビューワ管理装置１に送信し、商品関連情報Ｍで特定されるデジタルコンテンツをビューワ識別情報Ｌで特定される情報処理装置２に配信するよう要求するように機能させるビューワ連携プログラムＢをビューワ情報記録媒体５から取得する。
【００１５】
第２、第３の様態において、情報処理装置２は例えばユーザーのパーソナルコンピュータに、携帯情報機器３は例えばユーザーの携帯電話機に相当し、パーソナルコンピュータにビューワ制御プログラムＡが、携帯電話機にビューワ連携プログラムＢが設定される。また、パーソナルコンピュータと携帯電話機の機能の一体化が可能であり、情報処理装置２と携帯情報機器３が同一機器となること、ビューワ制御プログラムＡとビューワ連携プログラムＢが同一機器に設定されることも可能である。
このように構成すると、ウェブに直接にアクセスしなくても、情報処理装置２のビューワを介したコンテンツの入手・操作環境が提供可能になる。
【００１６】
また、本発明の第４の態様は、第１ないし第３の態様のコンテンツ配信システム１００において、ビューワ識別情報Ｌ及び商品関連情報Ｍは２次元バーコードで表現され、携帯情報機器３はビューワ識別情報Ｌ及び商品関連情報Ｍを光学読取機器で採取し、携帯情報機器３がビューワ識別情報Ｌ及び商品関連情報Ｍを解読する。
【００１７】
ここにおいて、光学読取機器として典型的には携帯情報機器３に付属のデジタルカメラが使用されるが、別体のデジタルカメラや電子スキャナーを用いても良い。このように構成すると、ビューワ識別情報Ｌ及び商品関連情報Ｍを携帯電話機のデジタルカメラ等で撮影することにより採取し、手軽に送信できるので便宜である。
【００１８】
また、本発明の第５の態様であるビューワ管理装置１は、例えば図１に示すように、通信ネットワーク７で、情報処理装置２、携帯情報機器３及びコンテンツ管理装置４と接続可能であり、携帯情報機器３から受信した商品関連情報Ｍで特定されるデジタルコンテンツをコンテンツ管理装置４から抽出し、当該デジタルコンテンツの鑑賞に係る利用契約条件を商品関連情報Ｍから抽出し、携帯情報機器３から受信したビューワ識別情報Ｌで特定される情報処理装置２に対して、当該デジタルコンテンツ及び利用契約条件を配信する機能を有する。
このように構成すると、パーソナルコンピュータやインターネットに不慣れなユーザーにも簡便なコンテンツ選択・操作手段を提供でき、かつ、店頭販売者にも販売協力を得られる仕組みを可能にする、新たな販売・配信方法のコンテンツ配信システムに適するサーバーを提供できる。
【００１９】
また、本発明の第６の態様である情報処理装置２は、通信ネットワーク７で、ビューワ管理装置１、携帯情報機器３及びコンテンツ管理装置４と接続可能であり、自己のビューワ識別情報Ｌを出力する機能と、ビューワ管理装置１から配信されたデジタルコンテンツを、ビューワ管理装置１から配信された当該デジタルコンテンツの鑑賞に係る利用契約条件に基づいて出力する機能を有する。
ここにおいて、情報処理装置２はプログラムを取得して上記２機能を有するようになったものも含むものとする。このように構成すると、ユーザーは、ビューワ制御プログラムＡを利用して、ビューワ管理装置１から配信されたデジタルコンテンツを利用契約条件に基づいて、選択し鑑賞することができる。
【００２０】
また、本発明の第７の態様である携帯情報機器３は、通信ネットワーク７で、ビューワ管理装置１、情報処理装置２及びコンテンツ管理装置４と接続可能であり、情報処理装置２が出力するビューワ識別情報Ｌと、商品情報記録媒体６が記録する商品関連情報Ｍを採取して、ビューワ管理装置１に送信し、商品関連情報Ｍで特定されるデジタルコンテンツをビューワ識別情報Ｌで特定される情報処理装置２に配信するよう要求する機能を有する。
ここにおいて、携帯情報機器３はプログラムを取得して上記機能を有するようになったものも含むものとする。このように構成すると、ユーザーは、所望のデジタルコンテンツを特定する商品関連情報Ｍを記録した商品情報記録媒体６を店頭などで入手すれば、自己が所持する携帯情報機器３のビューワ連携プログラムＢを利用して、これらの情報を採取し、ビューワ管理装置１に自己の情報処理装置２で鑑賞できるように要求できる。なお、ビューワ識別情報Ｌと商品関連情報Ｍの解読は典型的には携帯情報機器３で行なわれる。
【００２１】
また、本発明の第８の態様である商品情報記録媒体６は、提供対象のデジタルコンテンツを特定する情報及び当該デジタルコンテンツの鑑賞に係る利用契約条件を含む２次元バーコードで表現された商品関連情報Ｍを記録する。
このように構成すると、ユーザーは、所望のデジタルコンテンツを店頭で入手できる。また、店頭販売者にも販売協力を得られるコンテンツ配信システムを実現できる。
【００２２】
また、本発明の第９の態様であるビューワ制御プログラムＡは、情報処理装置２に、自己のビューワ識別情報Ｌを出力する機能と、ビューワ管理装置１から配信されたデジタルコンテンツを、ビューワ管理装置１から配信された当該デジタルコンテンツの鑑賞に係る利用契約条件に基づいて出力するように機能させる。
このようにすると、ユーザーは、情報処理装置２のビューワ制御プログラムを起動すれば、従来必要であったウェブブラウザーへのアクセスを行わなくても、ビューワを介して、デジタルコンテンツの入手・鑑賞が実現できる。
【００２３】
また、本発明の第１０の態様であるビューワ連携プログラムＢは、携帯情報機器３に、情報処理装置２が出力するビューワ識別情報Ｌと、商品情報記録媒体６が記録する商品関連情報Ｍを採取して、ビューワ管理装置１に送信し、商品関連情報Ｍで特定されるデジタルコンテンツをビューワ識別情報Ｌで特定される情報処理装置２に配信するよう要求するように機能させる。
このようにすると、ユーザーは、書店やコンビニなどの店頭で、商品関連情報Ｍが記録された商品情報記録媒体６が貼付又は印刷された、コンテンツ代替カード（商品代替物）を購入することで、デジタルコンテンツの購入が可能になる。即ち、書店などの店頭で、デジタルコンテンツの販売が可能になる。
【発明の効果】
【００２４】
本発明によれば、パーソナルコンピュータやインターネットに不慣れなユーザーにも簡便なコンテンツ選択・操作手段を提供でき、かつ、店頭販売者にも販売協力を得られる仕組みを可能にする、新たな販売・配信方法のコンテンツ配信システムを提供できる。
【発明を実施するための最良の形態】
【００２５】
以下、図面に基づき本発明の実施の形態について説明する。
【００２６】
［第１の実施の形態］
第１の実施の形態では、ビューワ管理装置１が、ビューワ制御プログラムＡをビューワ情報記録媒体５から取得して情報処理装置２に配信し、ビューワ連携プログラムＢをビューワ情報記録媒体５から取得して携帯情報機器３に配信する例を説明する。
【００２７】
本実施の形態は、ビューワ制御プログラムＡとビューワ連携プログラムＢの機能を連携させ、商品情報記録媒体６を媒介して、ビューワ制御プログラムＡとビューワ連携プログラムＢを所有するユーザー向けにコンテンツ配信サービスを可能にするものである。商品情報記録媒体６としてコンテンツ代替カードを用いて、商品関連情報Ｍを２次元バーコードとしてのＱＲコード（（株）デンソーウェブの登録商標です。）に記録、表示して、コンテンツ代替カードに貼付け、書店やコンビニエンスストアなどの店頭で販売する例について説明する。
【００２８】
図１に本実施の形態におけるコンテンツ配信システムの構成例を示す。
コンテンツ配信システム１００は、ビューワ管理装置１、情報処理装置２、携帯情報機器３、コンテンツ管理装置４、ビューワ情報記録媒体５、商品情報記録媒体６で構成される。ビューワ管理装置１、情報処理装置２、携帯情報機器３、コンテンツ管理装置４は通信ネットワーク７で相互に通信可能に接続され、コンテンツ配信鑑賞メインシステム８を構成する。このうち、ビューワ管理装置１とコンテンツ管理装置４はコンテンツ配信センター等コンテンツ提供者側に設置される。情報処理装置２と携帯情報機器３はユーザー（鑑賞者）側に設置され、図１では１ユーザーの装置のみを代表的に示すが、複数のユーザーの装置が通信ネットワーク７を介して接続される。商品情報記録媒体６は、提供対象のデジタルコンテンツを特定する情報及び当該デジタルコンテンツの鑑賞に係る利用契約条件を含む商品関連情報Ｍを記録する。提供対象コンテンツを特定する情報として、例えば、タイトル名、種別情報（書籍、音楽、映像等）等を、コンテンツの鑑賞に係る利用契約条件として、例えば、提供条件、支払条件、有効期間等を記録する。コンテンツ配信システム１００は、商品関連情報Ｍで特定されるデジタルコンテンツを通信ネットワーク７を介してユーザーの情報処理装置２に配信し、鑑賞を可能にする。商品情報記録媒体６は、例えば書店やコンビニエンスストアでコンテンツ代替カードとして販売される。
【００２９】
ビューワ情報記録媒体５はかかるコンテンツ配信システム１００を機能させるためのプログラムを記録する。ビューワ情報記録媒体５は、情報処理装置２を制御するビューワ制御プログラムＡと携帯情報機器３を制御するビューワ連携プログラムＢとを記録し、前者は情報処理装置２にインストールされ、後者は携帯情報機器３にインストールされて、連携してユーザー向けのコンテンツ配信サービスを可能にする。本実施の形態ではユーザーがビューワ管理装置１にアクセスしてこれらのプログラムをダウンロードすることによりインストールされる。
また、各ユーザーの情報処理装置２にはビューワ管理装置からビューワ識別情報Ｌが通知され、ユーザー毎にビューワ制御プログラムＡに登録され、ビューワ制御プログラムＡを固有化（識別化）する。
【００３０】
また、他のインストールの仕方として、ビューワ制御プログラムＡ、ビューワ連携プログラムＢを記録したＣＤが、ビューワ情報記録媒体５として、直接ユーザーに配布され、ユーザーは、このＣＤから直接、自分の情報処理装置２や携帯情報機器３にインストールすることも可能であり（第２の実施の形態参照）、さらに、ビューワ制御プログラムＡやビューワ連携プログラムＢを配信するビューワ管理装置へのリンク情報を印刷したカードを配布し、ユーザーはその情報に基づいて、自分の情報処理装置２や携帯情報機器３からビューワ管理装置にアクセスし、ビューワ制御プログラムＡやビューワ連携プログラムＢを、それぞれにインストールすることも可能である。
【００３１】
情報処理装置２は、自己のビューワ識別情報Ｌを出力する機能と、ビューワ管理装置１から配信されたデジタルコンテンツを、ビューワ管理装置１から配信された当該デジタルコンテンツの鑑賞に係る利用契約条件に基づいて出力する機能を有する。これらの機能はビューワ制御プログラムＡにより与えられる。
【００３２】
携帯情報機器３は、情報処理装置２が記録するビューワ識別情報Ｌと、商品情報記録媒体６が表示する商品関連情報Ｍを採取して、ビューワ管理装置１に送信し、商品関連情報Ｍで特定されるデジタルコンテンツをビューワ識別情報Ｌで特定される情報処理装置２に配信するよう要求する機能を有する。これらの機能はビューワ連携プログラムＢにより与えられる。
【００３３】
コンテンツ管理装置４は、コンテンツ配信システム１００が配信可能なデジタルコンテンツを蓄積する。
【００３４】
ビューワ管理装置１は、携帯情報機器３から受信した商品関連情報Ｍで特定されるデジタルコンテンツの利用契約条件について、コンテンツ管理装置４が記録するデジタルコンテンツについて、コンテンツ管理装置４から抽出し、利用契約条件を商品関連情報Ｍから抽出し、携帯情報機器３から受信したビューワ識別情報Ｌで特定される情報処理装置２に対して、当該デジタルコンテンツ及び利用契約条件を配信する。また、ビューワ制御プログラムＡを、ビューワ情報記録媒体５から取得して情報処理装置２に配信し、ビューワ連携プログラムＢを、ビューワ情報記録媒体５から取得して携帯情報機器３に配信する。
【００３５】
ビューワ情報記録媒体５は、情報処理装置２を制御するビューワ制御プログラムＡと携帯情報機器３を制御するビューワ連携プログラムＢを有する。ビューワ制御プログラムＡは情報処理装置２にインストールされ、ビューワ連携プログラムＢは携帯情報機器３にインストールされる。図２にビューワ制御プログラムＡの構成例を、図３にビューワ画面の構成例を示す。ビューワ制御プログラムＡは、コンテンツ出力ビューワ制御プログラムＡ１、コンテンツ操作ビューワ制御プログラムＡ２及びビューワ識別情報ビューワ制御プログラムＡ３から構成され、ビューワ画面Ｖを出力する機能を有する。それぞれのプログラムは、図３に示すようにビューワ画面Ｖに、コンテンツ出力ビューワＶ１、コンテンツ操作ビューワＶ２、ビューワ識別情報表示ビューワＶ３を出力させる。コンテンツ出力ビューワＶ１はデジタルコンテンツを利用契約条件に基づいて表示し、コンテンツ操作ビューワＶ２はユーザーが入力・操作する画面を提供し、ビューワ識別情報表示ビューワＶ３はビューワ識別情報Ｌを表示する。このように、ビューワ制御プログラムＡは、情報処理装置２に、自己のビューワ識別情報Ｌを出力するよう機能させ、ビューワ管理装置１から配信されたデジタルコンテンツを、ビューワ管理装置１から配信された当該デジタルコンテンツの鑑賞に係る利用契約条件に基づいて表示するよう機能させる。すなわち、デジタルコンテンツの入手及びビューワに出力（表示）するコンテンツの出力制御を実行するソフトウェアである。
【００３６】
図４にビューワ連携プログラムＢの構成例を示す。ビューワ連携プログラムＢは、ビューワ識別情報入力プログラムＢ１、商品関連情報入力プログラムＢ２、及びビューワ識別情報及び商品関連情報通知プログラＢ３から構成される。ビューワ識別情報入力プログラムＢ１は情報処理装置２が出力するビューワ識別情報Ｌを採取し、商品関連情報入力プログラムＢ２は商品情報記録媒体６が記録する商品関連情報Ｍを採取し、ビューワ識別情報及び商品関連情報通知プログラＢ３は採取されたビューワ識別情報Ｌと商品関連情報Ｍをビューワ管理装置１に送信し、商品関連情報Ｍで特定されるデジタルコンテンツをビューワ識別情報Ｌで特定される情報処理装置２に配信するよう要求するように機能させる。このように、ビューワ連携プログラムＢは、携帯情報機器３に、情報処理装置２が記録するビューワ識別情報Ｌと、商品情報記録媒体６が表示する商品関連情報Ｍを採取して、ビューワ管理装置１に送信し、商品関連情報Ｍで特定されるデジタルコンテンツをビューワ識別情報Ｌで特定される情報処理装置２に配信するよう要求するように機能させる。すなわち、ビューワ識別情報Ｌと商品関連情報Ｍとを組み合わせて、ビューワ管理装置１へ通知するソフトウェアである。
【００３７】
商品情報記録媒体６は、提供対象のデジタルコンテンツを特定する情報及び当該デジタルコンテンツの鑑賞に係る利用契約条件を含む商品関連情報Ｍを記録する。商品情報記録媒体６として、典型的にはＱＲコード付コンテンツ代替カード６が用いられ、光学読取機器として携帯情報機器３のデジタルカメラを用いて、コンテンツ代替カード６に貼付された、ＱＲコードを撮影して採取することにより、商品関連情報Ｍをビューワ管理装置１に通知できる。
【００３８】
ユーザーが、ＱＲコード付コンテンツ代替カード６を書店やコンビニエンスストアなどの店頭などで購入し、支払い処理がされた段階で、デジタルコンテンツが購入されたものと見なすことができる。これにより、コンテンツ提供者は、コンテンツを格納したＣＤ、ＤＶＤ、メモリーカードなどの現物を引き渡す代わりに、デジタルコンテンツ及び当該コンテンツを鑑賞するための利用契約条件をユーザーの情報処理装置２に配信する。
コンテンツとしては、書籍コンテンツ・音楽コンテンツ・映像コンテンツなどが対象となり、売切り、レンタル、無償提供など、目的に合わせた流通方法を選ぶことができる。
【００３９】
図５に、本実施の形態におけるコンテンツ配信の処理フロー例を示す。また、図１に手順（１）〜（９）に係る装置間でのデータやりとりを示す。
【００４０】
手順（１）：まず、ユーザーの情報処理装置２にビューワ制御プログラムＡを設定する（ビューワ制御プログラム設定工程：Ｓ１０）。コンテンツ提供者は、配信対象のデジタルコンテンツを蓄積するコンテンツ管理装置４と、コンテンツ配信を受付け、配信し、システムを制御するビューワ管理装置１とを公共の通信ネットワーク７に接続し、ビューワ制御プログラムＡ、ビューワ連携プログラムＢ及びビューワソフト関連情報Ｋを記録したビューワ情報記録媒体５を所有し、ビューワ管理装置１のホームページからダウンロード可能な状態に設定しておく。
【００４１】
ビューワ機能及び通信機能を有する情報処理装置２及びデジタルカメラを装着した通信機能を有する携帯情報機器３を所有するユーザーは、通信ネットワーク７を介して情報処理装置２からビューワ管理装置１のホームページにアクセスし、ビューワ制御プログラムＡ及びその関連情報をダウンロードして、情報処理装置２内の例えばビューワ制御プログラム部に設定する。ダウンロード料金は例えば無償とする。
【００４２】
手順（２）：次に、ビューワ管理装置１はビューワ制御プログラムＡが設置された情報処理装置２に識別番号を付与する（ビューワ固有化処理工程：Ｓ２０）。ユーザーが情報処理装置２で、ビューワ制御プログラム設定工程Ｓ１０で設定されたビューワ制御プログラムＡを起動すると、ビューワ制御プログラムＡの初期化機能が作動し、通信ネットワーク７を介してビューワ管理装置１と交信し、ビューワ管理装置１に対し情報処理装置２（詳しくは当該装置が所有するビューワ制御プログラムＡ）のビューワ識別情報Ｌ（以下、ＰＶＩＤともいう）の付与を要求する。その際に、ビューワ管理装置１は情報処理装置２にユーザー名、電子メールアドレス、情報処理装置２の機種とＯＳ（オペレーションシステム）等の配信先情報を要求し、登録する。ビューワ管理装置１は、ＰＶＩＤの付与要求を受けて、当該ビューワ制御プログラムＡに固有の識別情報をＰＶＩＤとして生成し、ビューワ制御プログラムＡに通知する。この処理により、各ユーザーの情報処理装置２に、ビューワ制御プログラムＡが固有化され、このＰＶＩＤにより、コンテンツ配信において、情報処理装置２すなわちビューワ制御プログラムＡを識別できる。
【００４３】
手順（３）：次に、ユーザーの携帯情報機器３にビューワ連携プログラムＢを設定する（ビューワ連携プログラム設定工程：Ｓ３０）。携帯情報機器３を所有するユーザーは、通信ネットワーク７を介して携帯情報機器３からビューワ管理装置１のホームページにアクセスし、ビューワ連携プログラムＢ及びその関連情報をダウンロードして、情報処理装置２内の例えばビューワ連携プログラム部に設定する。ダウンロード料金は例えば無償とする。
【００４４】
手順（４）：次に、携帯情報機器３で情報処理装置２のビューワ画面Ｖのビューワ識別情報ビューワＶ３に表示されたＰＶＩＤを採取する（ＰＶＩＤの採取工程：Ｓ４０）。固有化されたビューワ制御プログラムＡを情報処理装置２で起動し、ビューワ識別情報Ｌ（ＰＶＩＤ）を２次元バーコード、例えばＱＲコードにしてビューワ識別情報ビューワＶ３に表示させる。ＰＶＩＤを２次元バーコード、例えばＱＲコードで表示するとデジタルカメラ等の光学読取機器により読み取ることができ便利である。ユーザーは携帯情報機器３のデジタルカメラでビューワ識別情報ビューワＶ３に表示されたＱＲコードを撮影し、ビューワ連携プログラムＢでＱＲコード読み取り、固有化されたビューワ制御プログラムＡの識別情報（ビューワ識別情報Ｌ）として保存する。
【００４５】
手順（５）：次に、携帯情報機器３で商品情報記録媒体６に記録された商品関連情報Ｍを採取する（商品関連情報Ｍの採取工程：Ｓ５０）。書店等で商品情報記録媒体６が店頭販売されている。商品情報記録媒体６は典型的にはコンテンツ代替カードで販売され、コンテンツ代替カード６には、２次元バーコード、例えばＱＲコードで表示された商品関連情報Ｍが貼付されている。コンテンツ代替カード６の商品関連情報Ｍには配信対象のデジタルコンテンツを特定する情報と当該デジタルコンテンツの鑑賞に係る利用契約条件が記録されている。なお、コンテンツ代替カード６にＱＲコードを貼付する代わりに印刷しても良い。
【００４６】
また、配信対象のデジタルコンテンツはコンテンツ管理装置４に蓄積されたものに限られる。コンテンツ代替カード６の表面又はそのカード入れ（封筒型等）には、ユーザーに配信対象コンテンツが解る様にタイトルが表示され、場合によりイラストや簡単な紹介文が表示されている。ユーザーは書店等でコンテンツ代替カード６の表面又はカード入れを見ながら、鑑賞したいデジタルコンテンツを選択する。購入したいデジタルコンテンツがあれば、書店から提示された価格でコンテンツ代替カード６を購入する。ユーザーは持参した携帯情報機器３のデジタルカメラで購入したコンテンツ代替カード６に貼付されたＱＲコードを撮影し、ビューワ連携プログラムＢでＱＲコード読み取り、商品関連情報Ｍ（配信対象のデジタルコンテンツを特定する情報と当該デジタルコンテンツの鑑賞に係る利用契約条件）として保存する。なお、販売前にＱＲコードを撮影されないように、店頭に置くコンテンツ代替カード６の見本には商品関連情報Ｍを付けず、販売時に商品関連情報Ｍを貼付されたコンテンツ代替カード６を手渡す、又は、販売前は店頭に置くコンテンツ代替カード６の商品関連情報Ｍ上にシールを貼付しておく等の処置を取ることが望ましい。
【００４７】
手順（６）：次に、ユーザーは携帯情報機器３で採取した商品関連情報Ｍ及びＰＶＩＤをビューワ管理装置１に送信する（商品関連情報Ｍ及びＰＶＩＤの通知工程：Ｓ６０）。携帯情報機器３に設定されたビューワ連携プログラムＢの機能により、ＰＶＩＤの採取工程（Ｓ４０）で採取したＰＶＩＤと商品関連情報Ｍの採取工程（Ｓ５０）で採取したデジタルコンテンツを特定する情報及び利用契約条件を組み合わせて、携帯情報機器３から通信ネットワーク７を経由してビューワ管理装置１に通知し、商品関連情報Ｍで特定されるデジタルコンテンツをビューワ識別情報Ｌで特定される情報処理装置２に配信するよう要求する。ＰＶＩＤ及び商品関連情報Ｍが共にＱＲコードで表現される場合には、ＱＲコードを解読するソフトウェアが普及し、多くの携帯情報機器にも組み込まれ使用されているので、コードを解読してビューワ管理装置１に送信でき便利である。
【００４８】
手順（７）：次に、ビューワ管理装置１は商品関連情報Ｍで特定されるデジタルコンテンツをビューワ識別情報Ｌで特定される情報処理装置２に配信する（商品関連情報Ｍの通知工程：Ｓ７０）。ビューワ管理装置１は商品関連情報Ｍ及びＰＶＩＤの通知工程（Ｓ６０）で携帯情報機器３から受け取った商品関連情報Ｍから、デジタルコンテンツを特定する情報及び当該デジタルコンテンツの鑑賞に係る利用契約条件を抽出し、同時に受信したＰＶＩＤで特定される情報処理装置２のビューワ制御プログラムＡに対して、当該デジタルコンテンツをコンテンツ管理装置４から抽出して送信し、また、商品関連情報Ｍから抽出した当該デジタルコンテンツの鑑賞に係る利用契約条件を送信する。
【００４９】
手順（８）：（商品情報受信確認工程：Ｓ８０）。商品関連情報Ｍの通知工程（Ｓ７０）でビューワ管理装置１からデジタルコンテンツ及び当該デジタルコンテンツの鑑賞に係る利用契約条件を受信した情報処理装置２のビューワ制御プログラムＡは、当該ビューワ制御プログラムＡ（すなわち情報処理装置２）のＰＶＩＤを登録している、携帯情報機器３のビューワ連携プログラムＢに対して、ビューワ管理装置１を経由して、デジタルコンテンツ及び当該デジタルコンテンツの鑑賞に係る利用契約条件を受信した旨を通知する。なお、この通知に代えて、携帯情報機器３のビューワ連携プログラムＢに対して、ビューワ管理装置１がＰＶＩＤで特定される情報処理装置２のビューワ制御プログラムＡに当該デジタルコンテンツ及び当該デジタルコンテンツの鑑賞に係る利用契約条件を送信した旨を通知することも可能である。
【００５０】
手順（９）：次に、ユーザーはデジタルコンテンツを鑑賞する（コンテンツの鑑賞工程：Ｓ９０）。ユーザーは、工程Ｓ１０〜工程Ｓ８０の処理を行うことにより、情報処理装置２のビューワ制御プログラムＡを起動して、コンテンツ操作ビューワＶ２を介して、商品情報記録媒体６の商品関連情報Ｍに記録され、配信された当該デジタルコンテンツの鑑賞に係る利用契約条件で、商品関連情報Ｍで特定され、配信されたデジタルコンテンツをコンテンツ出力ビューワＶ１に出力し、コンテンツの鑑賞が可能になる。利用契約条件については後に説明する。
【００５１】
本実施の形態では、デジタルコンテンツを店頭販売し、オンラインで配信する。本例は最も典型的なものである。商品関連情報Ｍを記録した商品情報記録媒体６を店頭で販売し、情報処理装置２にビューワ制御プログラムＡを、携帯情報機器３にビューワ連携プログラムＢを設定済みのユーザーは、商品情報記録媒体６としてのコンテンツ代替カードを購入し、携帯情報機器３のビューワ連携プログラムＢで、携帯情報機器３のデジタルカメラでコンテンツ代替カードに貼付された商品関連情報ＭとしてのＱＲコードを撮影して読み取り、自己の情報処理装置２のビューワ識別情報Ｌ（ＰＶＩＤ）と共にビューワ管理装置１に送信して、商品関連情報Ｍで特定されるデジタルコンテンツを自己の情報処理装置２に配信するように要求し、自己の情報処理装置２のビューワ制御プログラムＡに配信されたことを確認し、商品関連情報Ｍで特定されるデジタルコンテンツを取得する。
【００５２】
商品情報記録媒体６を、書店やコンビニエンスストアなどの店頭で販売する場合には、店頭で現金支払いができるため、ユーザーにとっても、オンライン決済でクレジットカード情報を通知する不安を解消できる。また、従来のデジタルコンテンツのオンライン販売では、書店などの介在が不要なため、書店などにとっては、恩典がなかったが、本実施の形態では、書店でも販売ができるようになるという大きな利点がある。また、販売コンテンツの実態を書店などの店頭に物品として陳列する変わりに、商品関連情報とＱＲコードを貼付又は印刷した商品情報記録媒体６を販売することができるため、在庫負担をなくすことが可能になるという大きな利点がある。
【００５３】
本実施の形態では、商品情報記録媒体６に記録されている商品関連情報Ｍの内容には、デジタルコンテンツ及び当該デジタルコンテンツの鑑賞に係る利用契約条件に関する情報が記録される。
【００５４】
図６にコンテンツ利用条件の例を示す。個別の利用契約条件は利用条件の中から選択して定められる。利用条件は例えばビューワ管理装置１の内蔵メモリーに記録される。
【００５５】
情報は、コンテンツを特定する、コンテンツ名称、コンテンツ種別、コンテンツ属性、コンテンツの利用条件などを規程する、提供条件、支払条件、有効期限、その他、記録媒体情報、用途に合わせた拡張情報などから構成される。
コンテンツ名称には、作品のタイトル名を情報とする。コンテンツ種別としては、音楽コンテンツ、映像コンテンツ、電子書籍コンテンツ、その他のコンテンツ（例えば宣伝・広告用）などが挙げられる。コンテンツ属性としては、例えば、電子書籍コンテンツの場合には、デジタルコンテンツであるか、紙の書籍かなどの識別情報があげられる。
【００５６】
コンテンツの提供条件の例としては、有料か無料かの識別ができる情報、対象コンテンツが一次商品として販売・提供されるものなのか、二次商品として何かの商品の広告宣伝や付録扱いのコンテンツであるのかを示している。
支払い条件の情報としては、決済条件として、店頭などで、現金を支払う方法、ネットワークを介したオンライン決済による方法を識別する情報、価格情報、分配率（発行社、書店、著作者の取り分）を示している。
また、有効期限については、利用開始、利用終了に関する情報、または、利用期限は無制限などを識別できる。
【００５７】
また、商品記録媒体６も、紙のカードに限定されず、ＲＦＩＤ、メモリーカード、ＣＤ、ＤＶＤなどの磁気記録媒体や半導体記録媒体としても良い。その他、用途に応じた拡張情報も、サービスに応じて追加することができる。
【００５８】
以上より、本実施の形態によれば、パーソナルコンピュータやインターネットに不慣れなユーザーにも簡便なコンテンツ選択・操作手段を提供でき、かつ、店頭販売者にも販売協力を得られる仕組みを可能にする、新たな販売・配信方法のコンテンツ配信システムを提供できる。
【００５９】
［第２の実施の形態］
第１の実施の形態では、ビューワ管理装置１が、ビューワ制御プログラムＡをビューワ情報記録媒体５から取得して情報処理装置２に配信し、ビューワ連携プログラムＢをビューワ情報記録媒体５から取得して携帯情報機器３に配信する例を説明したが、本実施の形態では、ビューワ情報記録媒体５からビューワ制御プログラムＡを情報処理装置２にインストールし、ビューワ連携プログラムＢを携帯情報機器３にインストールする例を説明する。
【００６０】
ユーザーは、ビューワ制御プログラムＡ及びビューワ連携プログラムＢを記録するビューワ情報記録媒体５を入手し、自己の情報処理装置２にビューワ制御プログラムＡをインストールし、自己の携帯情報機器３にビューワ連携プログラムＢをインストールする。ユーザーはビューワ情報記録媒体５を、例えば、コンテンツ提供者に送付を申し込む、書店やコンビニエンスストア等から受け取る等により、有償又は無償で入手することが可能である。これらのプログラムが情報処理装置２及び携帯情報機器３にインストールされた後のコンテンツ配信システムの機能及び処理フローは第１の実施の形態と同様であり、第１の実施の形態と同様な効果を奏する。
【００６１】
［第３の実施の形態］
第１の実施の形態では、商品情報記録媒体６がコンテンツ代替カードで、商品関連情報Ｍが２次元バーコードのうちのＱＲコードで表現され、商品情報記録媒体６に貼付される例を説明したが、商品関連情報Ｍを記録又は表現するものはＱＲコードに限定されず、他の２次元バーコードでも良く、１次元バーコードでもよく、デジタルコンテンツを識別でき、商品関連情報Ｍを記録できれば、他の形式のコードでも良い。また、メモリーカード、ＲＦＩＤなどに記録され、メモリー出力や無線により採取されるものでも良い。
【００６２】
本実施の形態では他の２次元バーコードで表現される例を説明する。２次元バーコードには１次元バーコードを複数段積層して情報を表示したスタック型のもの、黒と白のます目のパターンをマトリックス状に配置して情報を表示したマトリックス型のものがあり、これらいずれの２次元バーコードも適用可能である。ＱＲコードの場合にはデジタルカメラで撮影して、それを解読するソフトウェアが普及しており、多くのパーソナルコンピュータや携帯電話機に組み込まれ使用されているので、便利であるが、他の２次元バーコードについてもそれぞれ専用の読取ソフトウェアを用いれば、本実施の形態に適用可能である。その他のシステム構成及び処理フローは第１の実施の形態と同様であり、第１の実施の形態と同様な効果を奏する。
【００６３】
［第４の実施の形態］
第１の実施の形態では、ビューワ管理装置１が情報処理装置２に配信するビューワ識別情報ＬであるＰＶＩＤが２次元バーコードのうちのＱＲコードで表現される例を説明したが、ＱＲコードに限定されず、他の２次元バーコードでも良く、１次元バーコードでもよく、情報処理装置２を識別できれば、他の形式のコードでも良い。
【００６４】
本実施の形態では、ＰＶＩＤを文字列とする例を説明する。例えば、ビューワ管理装置１はＪＩＳコードやＡＳＣＩＩコードで２５６桁の英数字を用いてＰＶＩＤを生成し、各ユーザーの情報処理装置２に配信し、携帯情報機器３が商品関連情報Ｍの採取工程（Ｓ５０）で通知したＰＶＩＤを自己のＰＶＩＤ記録情報と照合して、照合により特定された情報処理装置２にデジタルコンテンツ及び当該デジタルコンテンツの鑑賞に係る利用契約条件を配信すれば良い。その他のシステム構成及び処理フローは第１の実施の形態と同様であり、第１の実施の形態と同様な効果を奏する。
【００６５】
［第５の実施の形態］
第１の実施の形態では情報処理装置２と携帯情報機器３が独立した装置の例を説明したが、本実施の形態では一体化されている例を説明する。
情報処理装置２と携帯情報機器３が携帯可能に一体化されている場合には、コンテンツ代替カード６が置かれている書店等の店頭で商品関連情報Ｍを表現するＱＲコードを撮影してビューワ管理装置１に送付し、デジタルコンテンツの配信を受け、配信した旨の通知を受ける。通知後は直ちに、配信されたデジタルコンテンツを鑑賞できるというメリットがある。また、情報処理装置２と携帯情報機器３がデスクトップ型など携帯しない状態で一体化されている場合には、コンテンツ代替カードをユーザーの自宅等に持ち帰り、自宅等で商品関連情報Ｍを表現するＱＲコードを撮影してビューワ管理装置１に送付し、デジタルコンテンツの配信を受け、配信した旨の通知を受ける。この場合は、店頭などで、コンテンツの配信受付結果を確認できないが、広告宣伝や無料コンテンツの提供などの場合には問題ない。
どちらの場合も、ビューワ制御プログラムＡとビューワ連携プログラムＢが、同一情報処理装置（または、携帯情報機器）に設置されているため、ＱＲコードなどを介することなく、ビューワ生後プログラムＡからビューワ連携プログラムＢに通知することができる。
【００６６】
［第６の実施の形態］
第１の実施の形態では、コンテンツ代替カードに貼付された商品関連情報Ｍは１つのデジタルコンテンツを特定し、この特定されたデジタルコンテンツを１つの情報処理装置２に配信する例を説明したが、商品関連情報Ｍは２以上のデジタルコンテンツを特定しても良い。
商品関連情報ＭがＱＲコードを含む２次元バーコードとして記録されている場合には、例えば２Ｋバイト程度の大きな容量を有するので、複数のデジタルコンテンツに関する情報を集録可能である。したがって、ユーザーは携帯情報機器３からビューワ管理装置１に１つの商品関連情報Ｍに集録された複数のデジタルコンテンツの配信を要求し、ビューワ管理装置１はユーザーの情報処理装置２に要求された複数のデジタルコンテンツを配信することも可能である。また、コンテンツ代替カード６に複数の商品関連情報Ｍを貼付し、ユーザーはこれを選択して配信要求しても良い。シリーズもののコンテンツや特定グループにまとまったコンテンツをセット販売することにより、まとまったコンテンツグループをまとめて販売、購入できるので、販売側にもユーザー側にもメリットがある。この場合、ユーザーは必ずしも一度に配信してもらう必要はなく、読書の進捗に合せて順次配信要求しても良い。
その他のシステム構成及び処理フローは第１の実施の形態と同様であり、第１の実施の形態と同様な効果を奏する。
【００６７】
［第７の実施の形態］
本実施の形態では、商品群ｍ個から、ｎ個（ｎ≦ｍ）を指定する、不特定・複数コンテンツの配信サービス例について説明する。例えば、予め用意した、ジャンルや著者などでグルーピングした作品群ｍ個から、ｎ個を利用できる例である。この場合、商品関連情報Ｍにその旨の契約利用条件を記録する。ビューワ管理装置１は携帯情報機器３から配信要求時に送信された商品関連情報Ｍから利用契約条件を解読し、ユーザーにより選択されたｎ個のデジタルコンテンツを情報処理装置２に配信する。購入時点でｎ個のコンテンツを決定しなくても、有効期間内であれば、逐次、ｎ個までコンテンツを指定できるようにすることも可能である。ユーザーにとっては、完全に特定化されたコンテンツのセット販売に比べて、自分の好みの作品を選択できるというメリットがある。
【００６８】
［第８の実施の形態］
第１の実施の形態ではコンテンツ提供者のビューワ管理装置１からユーザーの情報処理装置２に書籍、音楽、映像等のデジタルコンテンツをオンラインで配信する例を説明したが、本実施の形態では、デジタルコンテンツの内容が広告・宣伝に用いるデジタルコンテンツであり、ユーザーに無償配布する例を説明する。
広告・宣伝用コンテンツを、例えば、書籍、電気製品、化粧品、旅行等の紹介を文字、音楽、映像、音声による解説を交えたデジタルコンテンツとし、これらに関する商品関連情報Ｍを記録した商品情報記録媒体６を、書店などの店頭で配布する。料金処理については、宣伝・広告主はユーザーにコンテンツ代替カード６を無償配布し、コンテンツ提供者に予め宣伝・広告のための料金を支払う。料金処理を除く処理フローは、第１の実施の形態と同様であり、ユーザーに広告・宣伝用のコンテンツを配信することが可能になる。
【００６９】
［第９の実施の形態］
本実施の形態では、第７の実施の形態と同様に配信対象コンテンツをユーザーに無償配布する例として、ブックフェスティバルなどのイベント参加者への謝恩サービス、記念事業での謝恩サービスなどでの配信サービスの例を説明する。
記念事業での謝恩サービスでは、ビューワ制御プログラムＡ、ビューワ連携プログラムＢの所有ユーザーは、このような恩典を受けることも可能である。イベント参加者への謝恩サービスにおいては、例えばコンテンツ代替カード６を無償配布する。
【００７０】
［第１０の実施の形態］
本実施の形態では、第７の実施の形態と同様に配信対象コンテンツをユーザーに無償配布する例として、景品コンテンツの商品連携販売での配信サービスの例を説明する。
すなわち、配信対象のコンテンツとは別の商品の付録または景品としてコンテンツを配信する。付録または景品として提供するデジタルコンテンツの商品関連情報Ｍを紙やシールなどの商品情報記録媒体６に２次元バーコード等として表現、記録し、商品に貼付けて商品を販売する、又は商品関連情報Ｍを表示したコンテンツ代替カード６を商品に添付して商品を販売する。ビューワ制御プログラムＡ、ビューワ連携プログラムＢの所有ユーザーは、購入した商品又はコンテンツ代替カード６に貼付けられた商品関連情報Ｍを撮影して、携帯情報機器３からビューワ管理装置１に配信を要求し、情報処理装置２に配信された付録または景品としてのコンテンツを入手して鑑賞することができる。商品の付録や景品には、当り・外れ方式を取り入れることもできるし、事前にコンテンツ内容が分かるようにして、ユーザーに付録の内容を分からせて、商品の販売促進に利用する方法も実施できる。当り・外れ方式の場合には、例えば商品関連情報Ｍ又は商品情報記録媒体６の位置に黒色又は銀色のシールを貼付し、シールを剥した場合に商品関連情報Ｍ又は商品情報記録媒体６が有れば当りとし、無ければ外れとする等である。
【００７１】
［第１１の実施の形態］
以上の実施の形態は全て、デジタルコンテンツを配信対象としたサービスであるが、本実施の形態では、配信対象のデジタルコンテンツを紙の書籍に置き換える例を説明する。
この場合は、商品代替カードに貼付した商品関連情報Ｍに、配信対象コンテンツがデジタルコンテンツでなく紙の書籍である旨、紙の書籍の配信センター等を記録しておき、さらにビューワ管理装置１に各ユーザーのビューワ識別情報Ｌ（ＰＶＩＤ）と共に紙の書籍購入時の配送先も登録をしておけば、ビューワ管理装置１は携帯情報機器３から受け付けた配信要求がデジタルコンテンツでなく紙の書籍であることを認識した場合に、配信センターに対し登録された配送先に紙の書籍を配送するように要求し、配信センターから、登録されたユーザーへ紙の書籍を送付する。
【００７２】
この方法は、本質的には物流を伴うサービスでありながら、ユーザーとの接点の書店などの店頭には、書籍の実物の陳列が必要でなくなることから、書籍の概要やＰＲ記事と商品関連情報Ｍを記録した「商品代替カード」を書店に並べるだけで、紙の書籍を在庫無しで販売できるという利点がある。ユーザーにとっては、書店に行っても、実物が届くまでのタイムディレイは生じるが、商品代替カードは、スペースを取らないため、店頭スペースも少なくて済み、陳列期間も制限が弱まるという利点がある。
なお、「商品代替カード」を用いて、音楽コンテンツ、映像コンテンツ、電子書籍コンテンツなど既にネット販売されているコンテンツを店頭などで販売することもできる。
【００７３】
以上、本発明の実施の形態について説明したが、本発明は上記の実施の形態に限定されるものではなく、本発明の趣旨を逸脱しない範囲で実施の形態に種々変更を加えられることは明白である。
【００７４】
例えば、以上の実施の形態では、店頭で支払い処理する例を説明したが、書店等では、コンテンツ代替カードを配り、支払い処理は行なわず、ユーザーはオンライン決済を利用する方法も可能である。また、店頭では、予め定められた、販売手数料のみを支払い、コンテンツ料金はオンライン決済で実施することも可能である。また、コンテンツ代替カードに利用契約条件の異なるＱＲコードを２種類用意し選択可能とする方法、売り切り用とレンタル用等用途別のＱＲコード付きカードを２種類用意し選択可能とする方法も可能である。また、以上の実施の形態では利用条件をビューワ管理装置１が内蔵メモリーに記録し、把握する例を説明したが、コンテンツ管理装置４がデジタルコンテンツに対応させて利用条件を記録し、ビューワ管理装置１が対応するデジタルコンテンツと共に配信しても良い。また、利用契約条件が利用条件の１態様になる例を説明したが、態様毎に利用条件を定め、利用契約条件＝利用条件としても良い。
【００７５】
また、商品情報記録媒体６について、媒体を紙カード、プラスチックカード、ＲＦＩＤ、カードメモリー、ＣＤ、ＤＶＤで構成する、提供方法をカードタイプ、パンフレットタイプ、商品添付型で行なう等としても良く、ビューワ情報記録媒体５についても、媒体を紙カード、カードメモリー、ＣＤで構成する等としても良い。また、サービスのバリエーションとして、コンテンツ代替カードの利用契約条件にコンテンツ指定、作者指定、出版社指定を取り入れても良く、用途、ジャンル、コンテンツ種別を組み合わせた多様なサービスとしても良い。例えば、同じ作者による１０個の作品のＱＲコードを貼付け、３つ選択できる、同じジャンルのＱＲコードを１０個貼付け、３つ選択できる等である。また、提供コンテンツの情報をオンライン提供するサービスを併用しても良い。
【産業上の利用可能性】
【００７６】
本発明は、デジタルコンテンツの配信に利用される。
【図面の簡単な説明】
【００７７】
【図１】第１の実施の形態におけるコンテンツ配信システムの構成例を示す図である。
【図２】ビューワ制御プログラムの構成例を示す図である。
【図３】ビューワ画面の構成例を示す図である。
【図４】ビューワ連携プログラムの構成例を示す図である。
【図５】第１の実施の形態におけるコンテンツ配信の処理フロー例を示す図である。
【図６】コンテンツ利用条件の例を示す図である。
【符号の説明】
【００７８】
１    ビューワ管理装置
２    情報処理装置
３    携帯情報機器
４    コンテンツ管理装置
５    ビューワ情報記録媒体
６    商品情報記録媒体（コンテンツ代替カード）
７    通信ネットワーク
８    コンテンツ配信鑑賞メインシステム
１００  コンテンツ配信システム
Ａ    ビューワ制御プログラム
Ａ１  コンテンツ出力ビューワ制御プログラム
Ａ２  コンテンツ操作ビューワ制御プログラム
Ａ３  ビューワ識別情報ビューワ制御プログラム
Ｂ    ビューワ連携プログラム
Ｂ１  ビューワ識別情報入力プログラム
Ｂ２  商品関連情報入力プログラム
Ｂ３  ビューワ識別情報及び商品関連情報通知プログラム
Ｋ    ビューワプログラム関連情報
Ｌ    ビューワ識別情報（ＰＶＩＤ）
Ｍ    商品関連情報
Ｖ    ビュワー画面
Ｖ１  コンテンツ出力ビューワ
Ｖ２  コンテンツ操作ビューワ
Ｖ３  ビューワ識別情報ビューワ
【図１】
2009003857.tif 000003
【図２】
2009003857.tif 000004
【図３】
2009003857.tif 000005
【図４】
2009003857.tif 000006
【図５】
2009003857.tif 000007
【図６】
2009003857.tif 000008